【手続補正書】
【提出日】平成15年8月29日(2003.8.29)
【手続補正１】
【補正対象書類名】明細書
【補正対象項目名】特許請求の範囲
【補正方法】変更
【補正の内容】
【特許請求の範囲】
【請求項１】
原稿として、ネガ型カラー透過原稿、またはポジ型カラー透過原稿、またはモノクロ透過原稿のいずれかの原稿を読み込み画像情報を得、前記読み込まれた原稿の種類に応じて予め設定された画像処理手順に基づき前記画像情報に対して画像処理を行い、新たな画像情報を得ることを特徴とする画像処理方法。
【請求項２】
前記画像処理手順が、前記画像情報を演算処理して、補正条件を得、前記画像情報に対して色及び／又は濃度の補正を行う色及び／又は濃度補正処理手順を含むことを特徴とする請求項１記載の画像処理方法。
【請求項３】
原稿として、複数駒の画像を有してなる長尺状のネガ型透過原稿またはポジ型透過原稿のいずれかの原稿を順次搬送し、原稿から画像情報の読み込みを行い、前記画像情報及び、前記原稿の種類に応じて予め設定された判定条件に基づき、駒位置の情報を得ることを特徴とする駒位置の検出方法。
【請求項４】
前記判定条件が前記原稿の未露光部濃度情報に基づく判定条件を含むことを特徴とする請求項３記載の駒位置の検出方法。
【請求項５】
請求項４記載の駒位置の情報に基づき前記原稿中の各駒に対して撮像を行い画像情報を得ることを特徴とする画像入力方法。
【請求項６】
請求項５記載の画像入力方法により得られた画像情報に基づき感光材料に露光を行いプリントを作成することを特徴とするプリント作成方法。
【請求項７】
原稿として、ネガ型カラー透過原稿、またはポシ型カラー透過原稿、またはモノクロ透過原稿のいずれかの原稿を読み込み画像情報を得、前記読み込まれた原稿の種類に応じて予め設定された画像処理手順に基づき前記画像情報を演算処理して、前記原稿に対する露光補正条件を得、この露光補正条件により前記原稿の透過光を補正して感光材料に露光を行いプリントを作成することを特徴とするプリント作成方法。
【請求項８】
原稿として、カラー透過原稿、またはモノクロ透過原稿のいずれかの原稿を読み込み画像情報を得、前記読み込まれた原稿の種類に応じて予め設定された画像処理手順に基づき前記画像情報に対して画像処理を行い、新たな画像情報を得、この新たな画像情報に基づき感光材料に露光を行いプリントを作成することを特徴とするプリント作成方法。
【請求項９】
原稿として、ネガ型カラー透過原稿、またはポジ型カラー透過原稿、またはモノクロ透過原稿のいずれかの原稿を読み込み画像情報を得る手段と、前記読み込まれた原稿の種類に応じて予め設定された画像処理手順に基づき前記画像情報に対して画像処理を行い、新たな画像情報を得る手段とを有することを特徴とする画像処理装置。
【請求項１０】
前記画像処理手順が、前記画像情報を演算処理して、補正条件を得、前記画像情報に対して色及び／又は濃度の補正を行う色及び／又は濃度補正処理手順を含むことを特徴とする請求項９記載の画像処理装置。
【請求項１１】
原稿として、複数駒の画像を有してなる長尺状のネガ型透過原稿またはポジ型透過原稿のいずれかの原稿を順次搬送する手段と、原稿から画像情報の読み込みを行う手段と、前記画像情報及び、前記原稿の種類に応じて予め設定された判定条件に基づき、駒位置の情報を得る手段とを有することを特徴とする駒位置の検出装置。
【請求項１２】
前記判定条件が前記原稿の未露光部濃度情報に基づく判定条件を含むことを特徴とする請求項１１記載の駒位置の検出装置。
【請求項１３】
請求項１２記載の駒位置の情報に基づき前記原稿中の各駒に対して撮像を行い画像情報を得ることを特徴とする画像入力装置。
【請求項１４】
請求項１３記載の画像入力装置により得られた画像情報に基づき感光材料に露光を行いプリントを作成することを特徴とするプリント作成装置。
【請求項１５】
原稿として、ネガ型カラー透過原稿、またはポシ型カラー透過原稿、またはモノクロ透過原稿のいずれかの原稿を読み込み画像情報を得る手段と、前記読み込まれた原稿の種類に応じて予め設定された画像処理手順に基づき前記画像情報を演算処理して、前記原稿に対する露光補正条件を得る手段と、この露光補正条件により前記原稿の透過光を補正して感光材料に露光を行う手段とを有し、感光材料を現像処理してプリントを作成することを特徴とするプリント作成装置。
【請求項１６】
原稿として、カラー透過原稿、またはモノクロ透過原稿のいずれかの原稿を読み込み画像情報を得る手段と、前記読み込まれた原稿の種類に応じて予め設定された画像処理手順に基づき前記画像情報に対して画像処理を行い、新たな画像情報を得る手段と、この新たな画像情報に基づき感光材料に露光を行う手段とを有し、感光材料を現像処理してプリントを作成することを特徴とするプリント作成装置。
【手続補正２】
【補正対象書類名】明細書
【補正対象項目名】００１４
【補正方法】変更
【補正の内容】
【００１４】
請求項４記載の発明は、『前記判定条件が前記原稿の未露光部濃度情報に基づく判定条件を含むことを特徴とする請求項３記載の駒位置の検出方法。』である。


【手続補正３】
【補正対象書類名】明細書
【補正対象項目名】００１５
【補正方法】変更
【補正の内容】
【００１５】
この請求項４記載の発明によれば、原稿の未露光部濃度情報に基づき、複数駒の画像を有してなる長尺状の原稿から画像部分と画像と画像の間の非画像部分との区別をより精度良くすることができ、画像の一部が欠けてしまったり、不必要な余白が発生したりと言ったことが無く所望の画像を得ることができる。


【手続補正４】
【補正対象書類名】明細書
【補正対象項目名】００３０
【補正方法】変更
【補正の内容】
【００３０】
請求項１２記載の発明は、『前記判定条件が前記原稿の未露光部濃度情報に基づく判定条件を含むことを特徴とする請求項１１記載の駒位置の検出装置。』である。


【手続補正５】
【補正対象書類名】明細書
【補正対象項目名】００３１
【補正方法】変更
【補正の内容】
【００３１】
この請求項１２記載の発明によれば、原稿の未露光部濃度情報に基づき、複数駒の画像を有してなる長尺状の原稿から画像部分と画像と画像の間の非画像部分との区別をより精度良くすることができ、画像の一部が欠けてしまったり、不必要な余白が発生したりと言ったことが無く所望の画像を得ることができる。


【手続補正６】
【補正対象書類名】明細書
【補正対象項目名】００６４
【補正方法】変更
【補正の内容】
【００６４】
次に、図７で図６の電気回路ブロックを、図５、図６を参照して説明すると、中央回路制御Ｂ１１は写真焼付装置をシーケンシャルに作動させたり後述の各回路、フィルム搬送回路Ｂ１２、距離検知回路Ｂ１３、濃度測定回路Ｂ１４、明瞭エッジ駒検知回路Ｂ１５、不明瞭エッジ駒停止回路Ｂ１６を制御する。フィルム搬送回路Ｂ１２は原画フィルム１４０を光センサ１３２位置に対し相対的に移動させるステップモータ１２３のステップ信号のステップ数を積算してフィルムの搬送長さを検知する回路である。また、濃度測定回路Ｂ１４が原画フィルム１４０の濃度を測定する回路である。


【手続補正７】
【補正対象書類名】明細書
【補正対象項目名】００６６
【補正方法】変更
【補正の内容】
【００６６】
次に、図８は駒位置の検出方法の説明に使用する図である。なお、説明で使用する原画フィルム１４０は第１番目駒１４９はエッジ位置が不明瞭な駒、第２番目駒は１５０は空駒、さらに第３番目駒１５１はエッジ位置が明瞭な駒とする。Ｐは駒ピッチを示す。図８（Ａ）は図６の焼付部の一部で同一機能には同一符号を付け説明は省略する。図８（Ｂ）は原画フィルム１４０の先端が光センサ１３２の位置にきている状態である。また、図８（Ｃ）が原画フィルム１４０が搬送されて第３番目駒１５１を検出した状態図と光センサ１３２の出力波形を示す。なお、出力波形は縦軸に光センサ１３２の出力値、横軸にフィルム距離を示している。原画フィルム１４０の先端位置の検出は光センサ１３２の出力値がベース検出レベル値ＬＢ１以下になることで検出している。また、エッジ位置が明瞭な駒の検出は駒検出レベル値ＬＢ２以下になっている距離Ｓが所定範囲距離内にある場合に検知したとしている。


【手続補正８】
【補正対象書類名】明細書
【補正対象項目名】００６７
【補正方法】変更
【補正の内容】
【００６７】
次いで、原稿がネガ型の透過原稿に換えてポジ型の透過原稿である場合を説明する。ポジ型の透過原稿でも同様に、ネガ型とは異なる値で予めベース検出レベル値ＬＢＲ１、駒検出レベル値ＬＢＲ２がそれぞれ設定されており（Ｃ’）に示すように原稿１４０’の先端位置の検出は、光センサ１３２の出力値はＬＢＲ１以下になることで検出し、また、エッジ位置が明瞭な駒の検出は、ＬＢＲ２以上になっている距離Ｓが所定範囲距離内にある場合に検知したとしている。


【手続補正９】
【補正対象書類名】明細書
【補正対象項目名】００７５
【補正方法】変更
【補正の内容】
【００７５】
請求項４記載の発明では、原稿の未露光部濃度情報に基づき、複数駒の画像を有してなる長尺状の原稿から画像部分と画像と画像の間の非画像部分との区別をより精度良くすることができ、画像の一部が欠けてしまったり、不必要な余白が発生したりと言ったことが無く所望の画像を得ることができる。


【手続補正１０】
【補正対象書類名】明細書
【補正対象項目名】００８３
【補正方法】変更
【補正の内容】
【００８３】
請求項１２記載の発明では、原稿の未露光部濃度情報に基づき、複数駒の画像を有してなる長尺状の原稿から画像部分と画像と画像の間の非画像部分との区別をより精度良くすることができ、画像の一部が欠けてしまったり、不必要な余白が発生したりと言ったことが無く所望の画像を得ることができる。


【手続補正１１】
【補正対象書類名】図面
【補正対象項目名】図３
【補正方法】変更
【補正の内容】
【図３】
1999231444.tif 000001
【手続補正１２】
【補正対象書類名】図面
【補正対象項目名】図７
【補正方法】変更
【補正の内容】
【図７】
1999231444.tif 000002
【手続補正１３】
【補正対象書類名】図面
【補正対象項目名】図８
【補正方法】変更
【補正の内容】
【図８】
1999231444.tif 000003